(57)【要約】【課題】子供にとって開蓋の方法がわかりにくく、しかも、構造が簡単で、損傷したり、破損したりしにくく、小形化を図ることのできるキャップ付き容器を提供する。【解決手段】容器１と、この容器１の口部４に螺着されるキャップ１１と、このキャップ１１に外嵌した状態で上下に移動自在に設けられる外リング２１を備え、口部４の外周面に第１ねじ部５が刻設され、その下側に凸部６が形成され、キャップ１１の内周面に第２ねじ部１２が刻設され、外周面に凸条１３が形成され、外リング２１の内周面に、キャップ１１の凸条１３に係合してキャップ１１の周方向への相対回転不能にする凹溝２３が形成され、その下側に、閉蓋状態で口部４の凸部６に係合しこの係合により口部４の周方向への相対回転不能にさせるとともに外リング２１を上昇させて上記係合を外すことにより外リング２１の回転にキャップ１１をつれ回り可能にする凹部２５が形成されている。【選択図】図２
2008037433.tif 000002
【特許請求の範囲】
【請求項１】
容器と、この容器の口部に螺着されるキャップと、このキャップに外嵌した状態で上下に移動自在に設けられる環状体とを備え、上記口部の外周面に第１ねじ部が刻設されているとともに、その下側に第１係合部が形成され、上記キャップの内周面に、第１ねじ部に螺合する第２ねじ部が刻設されているとともに、外周面に第２係合部が形成され、上記環状体の内周面に、キャップの内周面の第２係合部に係合してキャップの周方向への相対回転不能にする第３係合部が形成されているとともに、その下側に、閉蓋状態で口部の外周面の第１係合部に係合しこの係合により口部の周方向への相対回転不能にさせるとともに環状体を上昇させて上記第１係合部との係合を外すことにより環状体の回転にキャップをつれ回り可能にする第４係合部が形成されていることを特徴とするキャップ付き容器。
【請求項２】
上記キャップの外周面に第２係合部として複数本の凹溝が縦向きに形成され、上記環状体の内周面に第３係合部として、上記各凹溝にキャップの周方向への相対回転不能に係合しかつ上記各凹溝に上下に摺動自在に係合する複数本の凸条が縦向きに形成されている請求項１記載のキャップ付き容器。
【発明の詳細な説明】
【技術分野】
【０００１】
本発明は、子供が誤ってキャップを開け、容器内に収容された薬液等の内容物を飲んでしまうという事故等を防ぐようにした誤飲防止用のキャップ付き容器に関するものである。
【背景技術】
【０００２】
従来から、各種の液体，錠剤等を収容する容器と、この容器の口部にねじ止めされるキャップとからなるキャップ付き容器が多く出回っているが、このものは、容器の口部にキャップをねじ止めしているだけであるため、子供でも簡単に開蓋することができる。したがって、容器内に人体に有害な薬液等が収容されている場合にも、子供が誤って開蓋して容器内の薬液等を飲んでしまうという事故等が発生する恐れがある。
【０００３】
そこで、このような事故等を防ぐため、例えば、図１１に示すような容器の安全キャップが提案されている。この安全キャップは、外キャップ４１と、この外キャップ４１内に回転自在および上下動自在に収容される内キャップ４２とを備えており、上記外キャップ４１の上壁４１ａの外周縁部に６個の突子４３を突設するとともに、内周部にラチェット機構４４の一方を構成する４個の固定爪４５を突設し、上記内キャップ４２の円筒体４２ａの上端面に６個のキー４６を突設するとともに、中壁４２ｂに、ラチェット機構４４の他方を構成する４個の制止爪４７を突設している。また、これら各制止爪４７は、下方への押圧力を与えると深く屈曲しその押圧力を解除すると元の状態に復帰する弾力を備えている。
【０００４】
そして、上記の安全キャップで容器口を閉蓋する場合には、通常どおり、外キャップ４１を時計回り方向に回転する。このとき、上記ラチェット機構４４の固定爪４５とキー４６との噛み合いにより、内外両キャップ４１，４２が一体化されており、容器口に内キャップ４２をねじ止めすることができる。一方、開蓋する場合には、単に外キャップ４１を反時計回り方向に回転してもラチェット機構４４により空回りするだけであるため、外キャップ４１を下側に押し付けて突子４３とキー４６とを係合させ、この係合により内外両キャップ４１，４２を一体化したのち外キャップ４１を反時計回り方向に回転することを行う（例えば、特許文献１参照）。図において、４８は上記容器口の雄ねじ（図示せず）に螺合する雌ねじで、４９はパッキングである。
【特許文献１】特開平１０−１５２１５５号公報
【発明の開示】
【発明が解決しようとする課題】
【０００５】
しかしながら、上記の安全キャップでは、外キャップ４１に６個の突子４３と、ラチェット機構４４の一方を構成する４個の固定爪４５を突設し、内キャップ４２に、６個のキー４６と、ラチェット機構４４の他方を構成する４個の制止爪４７を突設しているため、構造が複雑であり、製造コストが高価になる。しかも、上記のとおり、ラチェット機構４４が複雑であるため、開蓋操作中に、ラチェット機構４４を構成する固定爪４５，制止爪４７に押圧力が作用すると、固定爪４５，制止爪４７（特に、上記押圧力により深く屈曲する制止爪４７）が損傷したり、破損したりしやすい。しかも、外キャップ４１の上壁４１ａと内キャップ４２の中壁４２ｂとの間に、突子４３，キー４６やラチェット機構４４を設けているいるため、上記の安全キャップの高さが高くなり、その分容器全体として大形化する。
【０００６】
本発明は、このような事情に鑑みなされたもので、子供にとって開蓋の方法がわかりにくく、しかも、構造が簡単で、損傷したり、破損したりしにくく、小形化を図ることのできるキャップ付き容器の提供を目的とする。
【課題を解決するための手段】
【０００７】
上記の目的を達成するため、本発明のキャップ付き容器は、容器と、この容器の口部に螺着されるキャップと、このキャップに外嵌した状態で上下に移動自在に設けられる環状体とを備え、上記口部の外周面に第１ねじ部が刻設されているとともに、その下側に第１係合部が形成され、上記キャップの内周面に、第１ねじ部に螺合する第２ねじ部が刻設されているとともに、外周面に第２係合部が形成され、上記環状体の内周面に、キャップの内周面の第２係合部に係合してキャップの周方向への相対回転不能にする第３係合部が形成されているとともに、その下側に、閉蓋状態で口部の外周面の第１係合部に係合しこの係合により口部の周方向への相対回転不能にさせるとともに環状体を上昇させて上記第１係合部との係合を外すことにより環状体の回転にキャップをつれ回り可能にする第４係合部が形成されているという構成をとる。
【発明の効果】
【０００８】
すなわち、本発明のキャップ付き容器は、閉蓋状態では、容器の口部にキャップが螺着されており、上記口部の外周面の第１係合部に、上記キャップに外嵌した状態で上下に移動自在に設けられる環状体の内周面の第４係合部が、上記口部の周方向に相対回転不能に係合している。このような閉蓋状態から開蓋状態に移行させる場合には、上記環状体を上昇させて上記両係合部の係合を外し、この状態で上記環状体を開蓋方向に回転させることを行う。これにより、上記環状体の回転にキャップがつれ回りし、このキャップが上記口部に螺着されているため上記口部に沿って上昇し上記口部から取り外される。一方、閉蓋する場合には、上記開蓋作業と逆の手順を行う。
【０００９】
上記のように、本発明のキャップ付き容器では、開蓋する場合には、環状体を上昇させたのち所定の方向に回転させなければならず、子供にとって開蓋の方法がわかりにくい。そして、本発明の上記構造では、キャップ，環状体にはねじ部以外に、ローレット等の第２係合部，第３係合部が形成され、環状体の内周面に、口部の外周面の第１係合部との係合により口部の周方向への相対回転不能にさせる第４係合部が形成されているだけであり、構造が簡単で、製造コストが安価になる。しかも、開蓋操作は、環状体をキャップに沿って上昇させキャップの周方向に回転させるだけで行えるため、環状体やキャップに無理な外力が作用せず、損傷したり、破損したりすることがない。しかも、上記キャップに環状体を外嵌しているだけであるため、上記キャップの高さを高くする必要がなく、容器全体として小形化できる。
【００１０】
また、上記キャップの外周面に第２係合部として複数本の凹溝が縦向きに形成され、上記環状体の内周面に第３係合部として、上記各凹溝にキャップの周方向への相対回転不能に係合しかつ上記各凹溝に上下に摺動自在に係合する複数本の凸条が縦向きに形成されている場合には、上記キャップの外周面に複数本の凹溝を縦向きに形成し、上記環状体の内周面に、上記各凹溝に係合する複数本の凸条を縦向きに形成するという簡単な構造で、キャップに環状体をキャップの周方向に相対回転不能にかつキャップに沿って上下に移動自在に取り付けることができる。
【発明を実施するための最良の形態】
【００１１】
つぎに、本発明を実施するための最良の形態について説明する。ただし、本発明は、この実施の形態に限られるものではない。
【００１２】
図１および図２は本発明のキャップ付き容器の一実施の形態を示している。これらの図において、１は合成樹脂製の容器であり、内部に薬液等の内容物（図示せず）を収容する胴部２と、この胴部２の上端開口部から上方に向かって縮径状に延びる肩部３と、この肩部３の上端開口部から上方に向かって略円筒状に延びる口部４とを備えている。
【００１３】
この口部４には、図３に示すように、その外周面に第１ねじ部５が刻設されており、その下端部の一部（この実施の形態では、右側部）には、後述する外リング２１の凹部２５（図７参照）に上下方向に摺動自在に係合しかつ外リング２１の周方向に相対回転不能に係合する凸部（第１係合部）６が突設されている（図４参照）。
【００１４】
１１は合成樹脂製のキャップ（図１参照）であり、略有天円筒状に形成されている。このキャップ１１には、その内周面に、上記第１ねじ部５に螺合する第２ねじ部１２（図５参照）が刻設されている。また、上記キャップ１１には、その外周面の、相対向する両側部（この実施の形態では、左右両側部）にそれぞれ、上記外リング２１の各凹溝２３（図７参照）に上下方向に摺動自在に係合しかつ外リング２１の周方向に相対回転不能に係合する３本の凸条（第２係合部）１３（図６参照）が上下に一直線状に形成されている。すなわち、上記各凸条１３と各凹溝２３とでローレット構造が形成されており、その噛み合いにより上記各凸条１３と各凹溝２３とが上下方向に摺動する場合に摩擦抵抗が生じ、簡単に（小さな力で）上下動させることができないようになっている。また、上記キャップ１１の外周面の下端部には、閉蓋状態で上記外リング２１の上側凸条２２を当接状に支受する円環状ストッパー１４が突設されている（図２参照）。また、上記キャップ１１の天井壁１１ａの下面に凹部１１ｂが形成されており、この凹部１１ｂに、上記口部４の上面開口部を密封状に塞ぐシリコンゴム製の弾性シール材１５（ゴム硬度がショアＡ硬さで４０〜９０度の範囲内にある）が接着固定され収容されている。
【００１５】
図１において、２１はキャップ１１に外嵌状に固定される合成樹脂製の外リング（環状体）であり、図７〜図９に示すように、その内周面の中間高さ部に上側凸条２２が円環状に突設され、その上側部分の、上記各凸条１３に対応する部分（この実施の形態では、左右両側部）にそれぞれ、上記各凸条１３に上下方向に摺動自在に係合しかつキャップ１１の周方向に相対回転不能に係合する凹溝（第３係合部）２３が形成されている。また、上記外リング２１の内周面の下端部に下側凸条２４が円環状に突設されており、その一部（上記口部４の凸部６に対応する部分）に、これを上下に貫通する状態で、上記口部４の凸部６に上下方向に摺動自在に係合する凹部（第４係合部）２５が形成されている。
【００１６】
上記の構成において、容器１の口部４にキャップ１１を閉蓋した状態では、上記両ねじ部５，１２は螺合しており、かつ、容器１の口部４の凸部６に、キャップ１１に（その周方向に相対回転不能でかつ上下動自在に）固定される外リング２１の凹部２５が係合しており（図２参照）、これにより、外リング２１が口部４に対してその周方向に相対回転不能になっている。
【００１７】
この閉蓋状態からキャップ１１を開蓋する場合には、図２の状態から図１０に示すように、上記ローレット構造を構成する各凸条１３と各凹溝２３との噛み合いによる摩擦抵抗に抗して外リング２１を上昇させ、口部４の凸部６と外リング２１の凹部２５との係合を外し、その状態で外リング２１を反時計回り方向（開蓋方向）に回転させることを行う。これにより、外リング２１の回転に伴いキャップ１１がつれ回りし、このキャップ１１が上記口部４に螺着されているため、キャップ１１が上記口部４に沿って上昇し上記口部４から取り外される。
【００１８】
一方、キャップ１１を閉蓋する場合には、まず、外リング２１を上昇させた状態で容器１の口部４にキャップ１１を外嵌状に挿入し、つきに、外リング２１を時計方向に回転させながら上記口部４にキャップ１１を螺着したのち、外リング２１を下降させて上記口部４の凸部６と外リング２１の凹部２５とを係合させることを行う。これにより、外リング２１が口部４に対してその周方向に相対回転不能になる。
【００１９】
このように、上記実施の形態では、開蓋する場合には、外リング２１を上昇させたのち所定の方向に回転させなければならず、子供にとって開蓋の方法がわかりにくい。そして上記構造は、キャップ１１の外周面に６本の凸条１３が形成され、外リング２１の内周面に６本の凹溝２３が形成され、外リング２１の内周面に、上記口部４の凸部６に係合する凹部２５が形成されているだけであるため、構造が簡単であり、製造コストが安価になる。しかも、開蓋操作は、外リング２１を上昇させて所定の方向に回転させるだけで行えるため、外リング２１やキャップ１１に無理な外力が作用せず、これらが損傷したり、破損したりしない。しかも、キャップ１１に外リング２１を外嵌状に固定しているだけであるため、キャップ１１の高さを低く抑えることができ、容器１全体として小形化できる。
【００２０】
なお、上記実施の形態では、上記キャップ１１の外周面の左右両側部にそれぞれ３本の凸条１３を縦向きに形成し、上記外リング２１の内周面の左右両側部にそれぞれ、上記各凸条１３に係合する３本の凹溝２３を縦向きに形成している（ローレット構造が形成されている）が、上記キャップに対して外リング２１が上下に移動自在でかつ周方向に相対回転不能となる構造であれば、どのような構造であってもよい。
【００２１】
また、上記実施の形態では、上記口部４の外周面の右側部に凸部６を突設し、外リング２１の内周面の右側部に凹部２５を形成しているが、上記口部４の外周面のに凸部６以外の第１係合部が形成され、上記外リング２１の内周面に、上記外リング２１を下降させたときに上記第１係合部に口部４の周方向に相対回転不能に係合し、かつ上記外リング２１を上昇させることにより上記第１係合部との係合を外すことができる凹部２５以外の第４係合部が形成されていてもよい。
【００２２】
また、上記実施の形態では、弾性シール材１５を構成する弾性材料はシリコンゴムであるが、これに限定されるものではなく、各種の弾性材料を用いることができる。ただし、子供等が簡単に（小さな力で）押し下げることができる低硬度の弾性材料は、好ましくない。
【図面の簡単な説明】
【００２３】
【図１】本発明のキャップ付き容器の一実施の形態を示す要部の斜視図である。
【図２】上記キャップ付き容器の要部の断面図である。
【図３】容器の口部を示す断面図である。
【図４】上記口部の平面図である。
【図５】キャップの断面図である。
【図６】上記キャップの平面図である。
【図７】外リングの断面図である。
【図８】上記外リングの裏面図である。
【図９】上記外リングの平面図である。
【図１０】上記キャップ付き容器の作用を示す説明図である。
【図１１】従来例を示す断面図である。
【符号の説明】
【００２４】
１  容器
４  口部
５  第１ねじ部
６  凸部
１１  キャップ
１２  第２ねじ部
１３  凸条
２１  外リング
２３  凹溝
２５  凹部
【図１】
2008037433.tif 000003
【図２】
2008037433.tif 000004
【図３】
2008037433.tif 000005
【図４】
2008037433.tif 000006
【図５】
2008037433.tif 000007
【図６】
2008037433.tif 000008
【図７】
2008037433.tif 000009
【図８】
2008037433.tif 000010
【図９】
2008037433.tif 000011
【図１０】
2008037433.tif 000012
【図１１】
2008037433.tif 000013